(57)【要約】【課題】線ファスナーを開閉しても防虫ネットに線ファスナーが噛み込むおそれのない防虫ネットを収納できる帽子の提供。【解決手段】収納部１３の内面側には仕切り部材１５が設けられている。この仕切り部材１５は、その下端部のみが開口９の下側に取り付けられて、上端側は自由端となっている。また、仕切り部材１５は線ファスナー１１のテープ１１ａに沿って配置されている。線ファスナー１１を開閉するときには、仕切り部材１５が線ファスナー１１と防虫ネット１７との間を仕切るように配置されているため、線ファスナーを１１開閉しても線ファスナー１１が防虫ネット１７を噛み込むことがない。【選択図】        図４
2015014061.tif 000002
【特許請求の範囲】
【請求項１】
頭部に装着する頭部装着部と前記頭部装着部の周方向に突出する鍔とを有する帽子と、前記帽子に形成され開口を有する収納部と、前記開口に取付けられた線ファスナーと、前記収納部の内面側に一端部が固定され前記線ファスナーを開いて前記開口から引き出すことにより垂下する防虫ネットとを備え、
前記線ファスナーと前記収納部に収納される防虫ネットとの間を仕切る仕切り部材が備えられ、前記仕切り部材は開口から防虫ネットを引き出すときには退避できることを特徴とする防虫ネットを収納できる帽子。
【請求項２】
請求項１に記載した防虫ネットを収納できる帽子において、収納部は頭部装着部の頭囲に対応する部分に形成されていることを特徴とする防虫ネットを収納できる帽子。
【請求項３】
請求項１または２に記載した防虫ネットを収納できる帽子において、帽子はサンバイザーであることを特徴とする防虫ネットを収納できる帽子。
【請求項４】
請求項１から３のいずれかに記載した防虫ネットを収納できる帽子において、前記防虫ネットは頭部装着部の開口から下垂した状態で左右両端部は連結可能であり、前記防虫ネットの左右両端部が連結することによって筒形となることを特徴とする防虫ネットを収納できる帽子。
【請求項５】
請求項１から４のいずれかに記載した防虫ネットを収納できる帽子において、帽子は使用者の頭囲の寸法に合わせて寸法を自由に変更できることを特徴とする防虫ネットを収納できる帽子。
【発明の詳細な説明】
【技術分野】
【０００１】
本発明は防虫ネットを収納できる帽子に係り、特に通常は帽子として使用でき、必要時には蚊等の虫から顔や首を守ることができる防虫ネットを収納できる帽子に関するものである。
【背景技術】
【０００２】
ハイキング等のアウトドアで蚊等の虫から顔や首を守るために、例えば特許文献１に記載されるような防虫ネットを収納できる帽子が使用されている。防虫ネットを収納できる帽子は、帽子の天井部に備えられる収納部に網状の防虫ネットが収納されており、収納部には開口が形成されている。
この防虫ネットを収納できる帽子は、日よけ等を目的として普通の帽子として使用することができ、また蚊等の虫等から顔や首を守りたいときには開口から防虫ネットを引き出して下垂させる。
【０００３】
一方、上記従来の収納部の開口は開いた状態となっているため、開口から防虫ネットが不用意に引き出されて、周囲のものに引っ掛かるなどして破れてしまうおそれがある。これを防止するためには、開口を閉鎖する線ファスナーを設けることが考えられる。
【先行技術文献】
【特許文献】
【０００４】
【特許文献１】特開平９−３１７３７号公報
【発明の概要】
【発明が解決しようとする課題】
【０００５】
しかしながら、線ファスナーを設けると、線ファスナーを開閉する際に防虫ネットに噛み込んでしまうおそれがある。
【０００６】
本発明は上記従来の問題に着目して為されたものであり、線ファスナーを開閉しても防虫ネットに線ファスナーが噛み込むおそれのない防虫ネットを収納できる帽子の提供を、その目的とする。
【課題を解決するための手段】
【０００７】
本発明は上記課題を解決するためになされたものであり、請求項１の発明は、頭部に装着する頭部装着部と前記頭部装着部の周方向に突出する鍔とを有する帽子と、前記帽子に形成され開口を有する収納部と、前記開口に取付けられた線ファスナーと、前記収納部の内面側に一端部が固定され前記線ファスナーを開いて前記開口から引き出すことにより垂下する防虫ネットとを備え、
前記線ファスナーと前記収納部に収納される防虫ネットとの間を仕切る仕切り部材が備えられ、前記仕切り部材は開口から防虫ネットを引き出すときには退避できることを特徴とする防虫ネットを収納できる帽子である。
【０００８】
請求項２の発明は、請求項１に記載した防虫ネットを収納できる帽子において、収納部は頭部装着部の頭囲に対応する部分に形成されていることを特徴とする防虫ネットを収納できる帽子である。
【０００９】
請求項３の発明は、請求項１または２に記載した防虫ネットを収納できる帽子において、帽子はサンバイザーであることを特徴とする防虫ネットを収納できる帽子である。
【００１０】
請求項４の発明は、請求項１から３のいずれかに記載した防虫ネットを収納できる帽子において、前記防虫ネットは頭部装着部の開口から下垂した状態で左右両端部は連結可能であり、前記防虫ネットの左右両端部が連結することによって筒形となることを特徴とする防虫ネットを収納できる帽子である。
【００１１】
請求項５の発明は、請求項１から４のいずれかに記載した防虫ネットを収納できる帽子において、帽子は使用者の頭囲の寸法に合わせて寸法を自由に変更できることを特徴とする防虫ネットを収納できる帽子である。
【発明の効果】
【００１２】
本発明によれば、線ファスナーと防虫ネットとの間に仕切り部材が備えられているため、線ファスナーを開閉しても防虫ネットに線ファスナーが噛み込むのを防止することができる。
【図面の簡単な説明】
【００１３】
【図１】本発明の実施の形態に係る防虫ネット付きサンバイザーを使用している様子を示す斜視図である。
【図２】図１の防虫ネット付きサンバイザーの背面側を示す斜視図である。
【図３】図１の防虫ネット付きサンバイザーの収納部の線ファスナーを開いている様子を示す斜視図である。
【図４】図３のＡ−Ａ断面図であり、開口から防虫ネットを引き出す方法を説明するための断面図である。
【図５】図１の防虫ネット付きサンバイザーの防虫ネットを筒形にする方法を説明するための斜視図である。
【図６】図５に示した防虫ネット付きサンバイザーを被った状態を示す斜視図である。
【図７】図６の状態を背面側から見た斜視図である。
【発明を実施するための形態】
【００１４】
本発明の実施の形態に係る防虫ネットを収納できる帽子としての防虫ネット付きサンバイザー１を図面にしたがって説明する。
符号２は帽子としてのサンバイザーを示し、このサンバイザー２は頭部に装着する部分である頭部装着部３と鍔５とによって構成されている。
図２に示すように、頭部装着部３は略５ｃｍの幅寸法を有するベルト状を為している。頭部装着部３の右端部の外面には面ファスナー７の雄側部７ａが固定され、左端部の内面には面ファスナー７の雌側部７ｂが固定されている。これら雄側部７ａ、雌側部７ｂは略１０ｃｍの長さ寸法を有している。雄側部７ａと雌側部７ｂとを連結することにより、頭部装着部３をベルト状から環状とできる。
頭部装着部３には鍔５が設けられており、この鍔５はサンバイザー２を被った状態で額に対応する部分に取り付けられている。鍔５は頭部装着部３の周方向へ突出している。
【００１５】
頭部装着部３の外面には収納部１３が設けられており、この収納部１３は頭部装着部３の略全長に渡る長さ寸法を有している。収納部１３は外面に開口９を有しており、この開口９は収納部１３の略全長に渡って延びている。すなわち、開口９は後述するようにサンバイザー２を被った状態で、頭部装着部３の頭囲に対応する部分に備えられている。また、この開口９は収納部１３の中心より下がった位置に配置されている。
開口９の縁には線ファスナー１１のテープ１１ａが取付けられ、テープ１１ａにはエレメントが設けられている。線ファスナー１１はテープ１１ａのエレメントに取り付けられたスライダー１１ｂをスライドさせることによって開閉できる。
【００１６】
図４のＡ−Ａ断面図に示すように、収納部１３の内面側には仕切り部材１５が設けられている。この仕切り部材１５は、その下端部のみが開口９の下側に取り付けられて、上端側は自由端となっている。また、仕切り部材１５は線ファスナー１１のテープ１１ａに沿って配置されている。
【００１７】
防虫ネット１７は方形を為しており、この防虫ネット１７の一端部（上側端部）は、仕切り部材１５が固定されている部分と同じ部分に固定されている。防虫ネット１７はコンパクトに畳まれて収納部１３に収納されている。
防虫ネット１７の左右両端部には線ファスナー１９がそれぞれ取付けられており、この線ファスナー１９を開閉することによって防虫ネット１７の左右両端部を連結可能としている。
収納部１３に収納された防虫ネット１７と線ファスナー１１は仕切り部材１５によって仕切られている。
【００１８】
防虫ネット付きサンバイザー１を使用する方法について図面にしたがって説明する。
まず、面ファスナー７の雄側部７ａと雌側部７ｂを頭囲の寸法に合うように調節して連結する。そして、図１に示すように、頭部装着部３を頭囲に嵌装するようにして頭部に装着して、防虫ネット付きサンバイザー１を頭部に被る。このように、防虫ネット付きサンバイザー１は日よけ等を目的として普通のサンバイザーとして使用することができる。
【００１９】
防虫ネット付きサンバイザー１を防虫の目的で使用する方法について図面にしたがって説明する。
前述のように防虫ネット付きサンバイザー１の収納部１３には防虫ネット１７がコンパクトに畳まれて収納されている。
面ファスナー７の雄側部７ａと雌側部７ｂを頭囲の寸法に合うように調節して連結する。そして、図３、図４（ａ）に示すように、スライダー１１ｂを持ってスライドさせて、エレメントを分離してテープ１１ａどうしの連結を解除し、線ファスナー１１を開ける。前述のように線ファスナー１１のテープ１１ａと防虫ネット１７とが仕切られているので、線ファスナー１１を開くときに防虫ネット１７に線ファスナー１１が噛み込むのを防止することができる。
【００２０】
次に図４（ｂ）に示すように、開口９から仕切り部材１５を引き出すようにして、仕切り部材１５を線ファスナー１１と防虫ネット１７との間から退避させる。前述のように仕切り部材１５は、その下端部のみが開口９の下側に取り付けられて、その上端側は自由端となっているので、このように線ファスナー１１と防虫ネット１７との間から簡単に退避させることができる。
【００２１】
図４（ｃ）に示すように開口９から防虫ネット１７を引き出して、防虫ネット１７を開口９から下垂させる。そして、図５に示すように、防虫ネット１７の左右両端部を合わせて、線ファスナー１９を閉じ防虫ネット１７の左右両端部を連結させ、防虫ネット１７を筒形とする。
図６、７に示すように、頭部装着部３を頭囲に嵌装するようにして防虫ネット付きサンバイザー１を被り、筒形の防虫ネット１７で顔や首を覆う。従って、蚊等の虫から顔や首を完全に守ることが可能である。
【００２２】
防虫ネット１７を収納部１３に収納するときは、防虫ネット付きサンバイザー１を脱ぎ、線ファスナー１９を開いて、防虫ネット１７を方形とする。そして、防虫ネット１７を畳みながら開口９から収納部１３へ押し込み、仕切り部材１５の内側へ収納し、更に、仕切り部材１５を収納部１３へ押し込む。これにより、仕切り部材１５が線ファスナー１１と防虫ネット１７との間を仕切る状態とする。
次いで、スライダー１１ｂを持ってスライドさせ、エレメントを噛み合わせてテープ１１ａどうしを連結し、線ファスナー１１を閉じる。前述のように仕切り部材１５によって線ファスナー１１と防虫ネット１７との間が仕切られているので、線ファスナー１１を閉じるときも防虫ネット１７に線ファスナー１１が噛み込むのを防止することができる。
【００２３】
以上のように、線ファスナー１１を開閉するときには、仕切り部材１５が線ファスナー１１と防虫ネット１７との間を仕切るように配置されているため、線ファスナー１１を開閉しても線ファスナー１１が防虫ネット１７を噛み込むことがない。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の防虫ネット１７は方形を為しているが、本発明はこの形状に限られず、防虫ネット１７の左右両端部を連結したときに筒形を為す形状であればどのような形状でもよい。
本実施の収納部１３は頭部装着部３の外面に設けられていたが、本発明の収納部１３は帽子のいずれの部分に設けてもよく、例えば鍔の部分に設けてもよい。
また、本実施の防虫ネット１７の左右両端部は線ファスナー１９によって連結したが、本発明は線ファスナーに限定されず、例えば面ファスナーによって防虫ネット１７の左右両端部を連結する構成としてもよい。
本実施のサンバイザー２の種類はサンバイザーであるが、例えば、頭頂部を覆う天井部を具備するキャップやハンチング帽、カンカン帽等、他の種類のものでもよい。
【産業上の利用可能性】
【００２５】
本発明に係る防虫ネットを収納できる帽子は、帽子の製造業等で利用可能性を有する。
【符号の説明】
【００２６】
１…防虫ネット付きサンバイザー      ２…サンバイザー
３…頭部装着部                      ５…鍔
７…面ファスナー                  ７ａ…雄側部
７ｂ…雌側部                        ９…開口
１１…線ファスナー                １１ａ…テープ
１１ｂ…スライダー                  １３…収納部
１５…仕切り部材                    １７…防虫ネット
１９…線ファスナー
【図１】
2015014061.tif 000003
【図２】
2015014061.tif 000004
【図３】
2015014061.tif 000005
【図４】
2015014061.tif 000006
【図５】
2015014061.tif 000007
【図６】
2015014061.tif 000008
【図７】
2015014061.tif 000009